(57)【要約】  本発明は廃棄物を収容し少なくとも一時的に貯留する生理用品収納器に関する。収納器は内部空洞と上部開口部を持つハウジングを備え、ハウジングの一部は開けることができ、内部空洞を露出させることができる。ハウジングの実質的な上方に位置して蓋の役割をする上位部があり、これを動かして上部開口部を開閉することができる。上部開口部又はその近傍に回動しないように取り付けられたエンドレスカセットがあって、これがある長さの折り畳んだ可塑性チューブを保持し、このチューブがカセットの頂部又はその近傍で外に出て、エンドレスカセットの中央開口部を通ってハウジングの底部に向かい、包含体を形成する。包含体は、蓋が開いたとき前記上部開口部から廃棄物を収納することができる。包含体は、ハウジングの一部が開いたときにアクセスが可能であり、包含体を下方に引き出し、カセットから補充される新しい包含体を形成することができ、封緘具ユニットにより密封して、包含体の除去ができるようになる。【選択図】図２３
2016520497.tif 000002
【特許請求の範囲】
【請求項１】
廃棄物を収容し少なくとも一時的に貯留する生理用品収納器であって、
内部空洞と上部開口部を持つハウジングであって、前記ハウジングの一部は開けることができ、これにより前記内部空洞を少なくとも部分的に露出させることができるハウジングと、
前記ハウジングの実質的な上方に位置して蓋の役割をし、可動であって前記上部開口部を少なくとも部分的に開閉できる上位部と、
前記上部開口部又はその近傍に、回動しないように取り付けられたエンドレスカセットであって、ある長さの折り畳んだ可塑性チューブを保持し、前記チューブが前記カセットの頂部又はその近傍で外に出て、前記カセットの中央開口部を通って前記ハウジングの底部に向かい、その中で包含体を形成するようなカセットと
を備え、又はこれらを含み、
前記包含体は、前記蓋が開いたとき前記上部開口部を通じ前記廃棄物を収納することができ、
前記一部が開いたとき前記包含体にアクセスが可能であり、前記包含体を下方に引き出し、前記カセットから補充される新しい包含体を形成することが可能であり、前記包含体および前記新しい包含体は密封することができ、前記包含体は除去できるようにしてなる生理用品収納器。
【請求項２】
前記エンドレスカセットが、前記ハウジングの内部に位置し、かつ前記上部開口部の周縁より実質的に外側に位置する請求項１に記載の収納器。
【請求項３】
前記底部又はその近傍に配置され、前記包含体を密封するために、及び／または前記新しい包含体の下部を封じるために、前記可塑性チューブに少なくとも１つの封をする封緘具ユニットを、前記ハウジングが少なくとも部分的に含む請求項１または２に記載の収納器。
【請求項４】
前記封緘具ユニットがさらに前記可塑性チューブを切断するカッターを有し、前記カッターは１つの前記封の下流で切断を行うことにより、前記包含体を前記新しい包含体から切り離すことができる請求項３に記載の収納器。
【請求項５】
前記封緘具ユニットは前記カッターの下流で第２の前記封をすることができ、前記カッターが前記新しい包含体を密封し、また、前記包含体を除去するために切断、密封する請求項４に記載の収納器。
【請求項６】
前記一部が開いたときに、前記封緘具ユニットも前記ハウジング内部から外向きに動く請求項３から５のいずれかに記載の収納器。
【請求項７】
前記一部は前記底部辺りに設けた回転軸位置を中心に蝶番で外向きに動く前記請求項１から６のいずれかに記載の収納器。
【請求項８】
前記カセットの上部が、上方に行くにつれて前記中央開口部に向かって内向きに傾斜する面をなす請求項１から７のいずれかに記載の収納器。
【請求項９】
前記折り畳んだ可塑性チューブの前記出口が前期中央開口部の直近に配置されている請求項１から８のいずれかに記載の収納器。
【請求項１０】
前記エンドレスカセットが内筒部から形成され、前記内筒部の周りに前記可塑性チューブが配置されており、前期内筒部の周囲を覆うように外カバーが配置され、前記可塑性チューブの前記出口が、前記頂部またはその近傍において前記内筒部と前記外カバーの間に規定される、請求項１から９のいずれかに記載の収納器。
【請求項１１】
前記エンドレスカセットが前記ハウジングの内面と実質的に賞賛的である請求項１から１０のいずれかに記載の収納器。
【請求項１２】
前記蓋が前記ハウジングの後部外面と、又は後部外面上で、摺動係合する請求項１から１１のいずれかに記載の収納器。
【請求項１３】
前記一部が少なくとも１つの開放自在係合部により前記ハウジングに保持される請求項１から１２のいずれかに記載の収納器。
【請求項１４】
前記少なくとも１つの開放自在係合部は前記一部の側面上方にある請求項１３に記載の収納器。
【請求項１５】
前記蓋には前記上部開口部を開閉するために前記蓋を上下させるための把手がある請求項１から１４のいずれかに記載の収納器。
【請求項１６】
前記上部開口部が前記蓋により自動で開閉される請求項１から１４のいずれかに記載の収納器。
【請求項１７】
前記自動開閉が近接感知を介して作動する請求項１６に記載の収納器。
【請求項１８】
前記蓋又は近接領域に視覚表示、例えば、利用者に対し前記近接感知の位置を表示する目印のある請求項１７に記載の収納器。
【請求項１９】
前記生理用品収納器が頂部、底部を除いて、正面、側面から見て実質的に直線形状であり、これにより実質的に平滑な連続表面を提供して衛生管理と掃除をしやすくした請求項１から１８のいずれかに記載の収納器。
【請求項２０】
前記ハウジングの最下位部が、その内部から見たときに実質的に凹型で、前記凹部が前記廃棄物からの漏れやこぼれを受け止めるようにした請求項１から１９のいずれかに記載の収納器。
【請求項２１】
前記蓋に、ハウジングからの完全な離脱を容易に防ぐ保持機構を含む請求項１から２０のいずれかに記載の収納器。
【請求項２２】
前記収納器が着脱自在に壁掛け式又は床から自立式の請求項１から２１のいずれかに記載の収納器。
【請求項２３】
前記エンドレスカセットが前記ハウジングとの開放自在係合部を備えた請求項１から２２のいずれかに記載の収納器。
【請求項２４】
前記開放自在係合部が弾性のものである請求項２３に記載の収納器。
【請求項２５】
前記弾性開放自在係合部は前記カセットの前面上の少なくとも１つの第１突出部であって前記ハウジング内面上の賞賛的な部分と係合し、また少なくとも１つの第２突出部であって前記ハウジングのもう１つの内面上に係合する請求項２３または２４に記載の収納器。
【請求項２６】
前記少なくとも１つの第１突出部が前記少なくとも１つの第２突出部と異なる高さにあって、これによりまず前記少なくとも１つの第１突出部又は前記少なくとも１つの第２突出部を係合し、次に、それぞれ、前記少なくとも１つの第２突出部又は前記少なくとも１つの第１突出部を係合させることによって前記エンドレスカセットが所定の位置に配置される請求項２５に記載の収納器。
【請求項２７】
前記カセットは、少なくともその上部を前記生理用品収納器の内部と賞賛的とすることにより、前記カセットが上方や外向きに動かないようにして所定の位置に保ち、押え棒が前記カセットを下方から着脱自由に支持する請求項１から２３のいずれかに記載の収納器。
【請求項２８】
前記蓋で閉じられる上部開口部が内向きに傾斜する円錐台形の接触面を有し、前記蓋は賞賛的な接触面を有し、これにより前記上部開口部が実質的に密封される請求項１から２７のいずれかに記載の収納器。
【請求項２９】
前記収納器は背面を介して壁掛け式又は床から自立式とすることができる請求項１から２８のいずれかに記載の収納器。
【請求項３０】
前記蓋を自動で開閉するため自動開閉器を前記収納器の背面に取り付けることができる請求項１６に記載の収納器。
【請求項３１】
生理用品収納器のためのカセットであって、
ａ  ある長さの可塑性チューブを折り畳んだ状態で周囲に配置できる中央筒部であって、その中を貫通する中央開口部を備えた中央筒部と、
ｂ  前記中央筒部と前記折り畳んだ可塑性チューブの周囲に位置する外カバーと
ｃ  前記中央開口部の最上部辺縁にあり前記中央開口部に直に隣接するエンドレス出口開口部を別として、前記折り畳んだ可塑性チューブを囲い込んでいる前記中央筒部と前記外カバーであって、前記折り畳んだ可塑性チューブは、前記エンドレス出口開口部で前記カセットから離れ、折り畳んでいない状態で前記カセットの前記中央開口部を通って下方に向かうようにした前記中央筒部と前記外カバーと
を備え、又は含み、
前記生理用品収納器のハウジング内に回動しないように取り付けることができ、前記収納器の上部開口部の実質的に外側に位置するカセット。
【請求項３２】
可塑性チューブの備蓄から供給される生理用品収納器用可塑性チューブを密封する切断封緘具ユニットであって、
前記可塑性チューブに第１の封を施す第１の封緘機構と、
前記第１の封の後ろに延びる前記可塑性チューブを切断するように適合させた切断機構と
を備え、又は含み、
前記第１の封が前記可塑性チューブに施されるときに、前記生理用品収納器のための新しい包含体が形成されるようにしてなる切断封緘具ユニット。
【請求項３３】
生理用品収納器の使用方法であって、
ａ  前記収納器の、内部で回動しないように取り付けられたエンドレスカセットにアクセスするステップと、
ｂ  前記収納器の内部で既存の包含体を引き下げることにより、前記エンドレスカセットの中央開口部から補充される新しい包含体を形成するステップと、
ｃ  前記新しい包含体をその下端で封じて前記下端を閉じるステップと、
ｄ  前記既存の包含体を前記新しい包含体から切り離すステップと
を備え、又は含み、
これにより前記既存の包含体及びその中の廃棄物を前記収納器から除去し、その後前記収納器を閉じるようにしてなる方法。
【請求項３４】
前記既存の包含体の最上部を封じ前記既存の包含体とその中の廃棄物を完全に密封するステップを含む請求項３３に記載の方法。
【請求項３５】
前記新しい包含体を封じるステップと前記既存の包含体を切り離すステップと前記既存の包含体を封じるステップが、前記切断部の両側を封じる封緘具・切断具一体型ユニットにより達成される請求項３３又は３４に記載の方法。
【請求項３６】
添付のいずれか１つ以上の図の参照によりここに記載した生理用品収納器。
【請求項３７】
ここに記載したような手入れがなされるときのここに記載した生理用品収納器の使用。
【請求項３８】
ここに記載したような手入れがなされるときのここに記載した生理用品収納器の提供方法。
【請求項３９】
ここに記載したような手入れがなされるときのここに記載した生理用品収納器の手入れの方法。
【請求項４０】
ここに記載したような手入れがなされるときのここに記載した生理用品収納器のための部品のキット。
【発明の詳細な説明】
【技術分野】
【０００１】
本発明は生理用品収納器に関する。
特に、本発明は、例えばトイレの個室内等の場所での廃棄物処理のための、生理用品処理用収納器とその構成部品に向けられているが、それらに限定されない。
【背景技術】
【０００２】
少なくとも一時的に廃棄物を衛生的な方法で保持しておく収納器、特に、女性用生理用品の処理用に設計された収納器が求められている。そのような収納器は、通常トイレの個室の床や壁に設置される。
【０００３】
そのような用品をトイレに流すとトイレがつまることがあり、また、地域の下水処理システムがかさばる物を処理できないか、又はそれが望まれていないため、そのような収納器が必要である。
【０００４】
生理用品収納器は、通常、廃棄物を収納器の中に入れるための蓋等を開けて使う。このため、収納器の中に廃棄物を入れるためには、利用者は、通常、蓋等の収納器内部に通ずる部分の辺りで収納器を扱うことになる。収納器を扱うことで収容器が汚染されたり、収納器内部に通じる部分の辺りに廃棄物が蓄積したりするため、見苦しいだけでなく健康被害をもたらす可能性があり、問題となり得る。利用者の立場からしても、中に廃棄物を入れる際には、蓋等を開けるため収納器を扱う必要がないか、又はほとんどないことが好ましく、中の汚れた表面が全く、又はほとんど見えないのが好ましい。また、蓋が開いている時の、器材内部の見え方とそれに伴う廃棄物の見え方が最小になるように、開口部と収容領域の相対的な寸法が定められていることが好ましい。
【０００５】
廃棄物の危険性を考慮して、一般に、収納器は設置場所で空にされるのではなく、別の場所で新しい容器と交換される。このため、従来、収納器の手入れの担当者は、取り替える収納器のそれぞれに対して２つ目の収納器を用意しておく必要があった。そのため、通常、トイレ施設を頻繁に往来するか、又は、新しい収納器を運び入れ使用済み収納器を運び出すための何らかの形態の手押し車が必要であった。収納器が壁掛け式であれば、個室の清掃は楽になるが、壁に掛けるための設計がよくない場合、取り外しと交換を繰り返すうちに、消耗し、場合によっては壊れてしまう。従って、収納器はトイレ内に留置して中の廃棄物だけを除去できることが望ましい。
【０００６】
器材全体を移動させて交換するタイプの生理用品収納器の例が、我々の国際出願である国際公開第２００５／１１５８８２号に示されている。これは壁掛け式としても自立式としてもよい。
【０００７】
また、器材の手入れは単純明快で、できるだけ容易にかつ直感的に行えることが望ましい。
【０００８】
本明細書において、特許明細書、他の外部文書、他の情報源に言及する場合は、一般的に、本発明の要素を論じる際の文脈を提供する目的のためである。明確に別段の言明のない限り、いかなる管轄権下においても、そのような外部文献への言及をもってして、その外部文献又は外部情報源が先行技術である、又は、当該技術分野の通常の一般的知識を構成すると解釈されてはならない。
【０００９】
本発明の目的は、改善された生理用品収納器を提供すること、上記の欠点を克服し、又は上記の要求に応えること、或いは、少なくとも公衆に有用な選択肢を提供することである。
【発明の概要】
【００１０】
第１の局面において、本発明は、廃棄物を収容し少なくとも一時的に貯留するように適合させた生理用品収納器であって、
内部空洞と上部開口部を持つハウジングであって、前記ハウジングの一部は開けることができ、これにより前記内部空洞を少なくとも部分的に露出させることができるハウジングと、
前記ハウジングの実質的な上方に位置して蓋の役割をし、可動であって前記上部開口部を少なくとも部分的に開閉できる上位部と、
前記上部開口部又はその近傍に回動しないように取り付けられたエンドレスカセットであって、ある長さの折り畳んだ可塑性チューブを保持し、前記チューブが前記カセットの頂部又はその近傍で外に出て、前記カセットの中央開口部を通って前記ハウジングの底部に向かい、包含体を形成するようなカセットと
を備え、又はこれらを含み、
前記包含体は、前記蓋が開いたとき前記上部開口部を通じ前記廃棄物を収納することができ、
前記包含体は前記一部が開いたときにアクセスが可能であり、前記包含体を下方に引き出し、前記カセットから補充される新しい包含体を形成することが可能であり、前記封緘具ユニットにより密封して、前記包含体は除去できるようにしてなる生理用品収納器に概ね存するということができる。
【００１１】
好ましくは、前記エンドレスカセットは前記ハウジング内に配置され、前記上部開口部の周縁より実質的に外側に位置する。
【００１２】
好ましくは、前記底部又はその近傍に配置され、前記包含体を密封するために、及び／または前記新しい包含体の下部を閉塞するために、前記可塑性チューブに少なくとも１つの封をする封緘具ユニットを、前記ハウジングは少なくとも部分的に含む。
【００１３】
好ましくは、前記封緘具ユニットがさらに前記可塑性チューブを切断するカッターを有し、前記カッターは前記封の下流で切断を行うことにより、前記包含体を前記新しい包含体から切り離すことができる。
【００１４】
好ましくは、前記封緘具ユニットは前記カッターの下流で第２の前記封をすることができ、前記カッターが前記新しい包含体を封じ、また、前記包含体を除去できるように切断し、封をする。
【００１５】
好ましくは、前記一部は前記底部辺りに設けた回転軸位置を中心に蝶番で外向きに動く。
【００１６】
好ましくは、前記一部が開いたときに、前記封緘具ユニットも前記ハウジング内部から外向きに動く。
【００１７】
好ましくは、前記カセットの上部は、上方に行くにつれて前記中央開口部に向かって内向きに傾斜する面をなす。
【００１８】
好ましくは、前記折り畳んだ可塑性チューブの前記出口は前期中央開口部の直近に配置されている。
【００１９】
好ましくは、前記エンドレスカセットは内筒部から形成され、前記内筒部の周りに前記可塑性チューブが配置されており、前期内筒部の周囲を覆うように外カバーが配置され、前記可塑性チューブの前記出口を、前記頂部またはその近傍において前記内筒部と前記外カバーの間に規定する。
【００２０】
好ましくは、前記エンドレスカセットは前記ハウジングの内面と実質的に賞賛的である。
【００２１】
好ましくは、前記蓋は前記ハウジングの後部外面と摺動係合する。
【００２２】
好ましくは、前記一部は少なくとも１つの開放自在係合部により前記ハウジングに閉じた位置で保持される。
【００２３】
好ましくは、前記少なくとも１つの開放自在係合部は前記一部の側面上方にある。
【００２４】
好ましくは、前記蓋には前記上部開口部を開閉するために前記蓋を上下させるための把手がある。
【００２５】
もしくは、前記上部開口部は、前記蓋により自動で開閉する。
【００２６】
好ましくは、前記自動開閉は近接感知による。
【００２７】
好ましくは、前記蓋には、視覚表示、例えば、利用者に対し前記近接感知の位置を表示する目印がある。
【００２８】
好ましくは、前記生理用品収納器は、湾曲した側面、頂部、底部を除いて、正面、側面から見て実質的に直線形状であり、これにより実質的に平滑な連続表面を提供して衛生管理と掃除をしやすくしてある。
【００２９】
好ましくは、前記ハウジングの最下位部は、その内部から見たときに実質的に凹型で、前記凹部が前記廃棄物からの漏れやこぼれを受け止める。
【００３０】
好ましくは、前記蓋は、ハウジングからの完全な離脱を容易に防ぐ保持機構を含む。
【００３１】
好ましくは、前記収納器は着脱自在に壁掛け式又は床から自立式である。
【００３２】
好ましくは、前記エンドレスカセットは前記ハウジングとの開放自在係合部を備える。
【００３３】
好ましくは、前記開放自在係合部は弾性のものである。
【００３４】
好ましくは、前記弾性開放自在係合部は前記カセットの前面上の少なくとも１つの第１突出部であって前記ハウジング内面上の賞賛的な部分と係合し、また少なくとも１つの第２突出部であって前記ハウジングのもう１つの内面上に係合する。
【００３５】
好ましくは、前記少なくとも１つの第１突出部は前記少なくとも１つの第２突出部と異なる高さにあって、これによりまず前記少なくとも１つの第１突出部又は前記少なくとも１つの第２突出部を係合し、次に前記少なくとも１つの第２突出部又は前記少なくとも１つの第１突出部をそれぞれ係合させることによって前記エンドレスカセットが所定の位置に配置される。
【００３６】
もしくは、前記カセットは、少なくともその上部を前記生理用品収納器の内部と賞賛的とすることにより、前記カセットが上方や外向きに動かないようにして所定の位置に保ち、押え棒が前記カセットを下方から着脱自由に支持するようにしてもよい。
【００３７】
好ましくは、前記蓋で閉じられる前記上部開口部は内向きに傾斜する円錐台形の接触面を有し、前記蓋は賞賛的な接触面を有し、これにより前記上部開口部が実質的に封じられる。
【００３８】
好ましくは、前記収納器は背面を介して壁掛け式又は床から自立式とすることができる。
【００３９】
好ましくは、前記蓋を自動で開閉するため自動開閉器を前記収納器の背面に取り付けることができる。
【００４０】
また別の局面において本発明は、生理用品収納器のためのカセットであって、
ある長さの可塑性チューブを折り畳んだ状態で周囲に配置できる中央筒部であって、その中を貫通する中央開口部を備えた中央筒部と、
前記中央筒部と前記折り畳んだ可塑性チューブの周囲に位置する外カバーと
前記中央開口部の最上部辺縁にあり前記中央開口部に直に隣接するエンドレス出口開口部を別として、前記折り畳んだ可塑性チューブを囲い込んでいる前記中央筒部と前記外カバーであって、前記折り畳んだ可塑性チューブは、前記エンドレス出口開口部で前記カセットから離れ、折り畳んでいない状態で前記カセットの前記中央開口部を通って下方に向かうような前記中央筒部と前記外カバーと
を備え、又は含むようにしてなるカセットに概ね存するということができる。
【００４１】
別の局面において本発明は、可塑性チューブの備蓄から供給される生理用品収納器用可塑性チューブを封じる切断封緘具ユニットであって、
前記可塑性チューブに第１の封をする第１の封緘機構と
前記第１の封の後ろに延びる前記可塑性チューブを切断するように適合させた切断機構と
を備え、又は含み、
前記第１の封が前記可塑性チューブに施されるときに、前記生理用品収納器のための新しい包含体が形成されるようにしてなる切断封緘具ユニットに概ね存するということができる。
【００４２】
好ましくは、第２の封をするよう適合させた第２の封緘機構を前記第１の封と前記切断機構の下流に設け、（例えば廃棄物が溜まって）前記新しい包含体を取り替える必要があるときには、更にある長さの可塑性チューブを前記備蓄から取り出し、前記満杯の包含体とその中の廃棄物を前記第２の封緘機構で密封し、前記更なる長さのチューブから切り離し、前記第１の封緘機構により前記更なる長さのチューブに封をして新しい包含体を形成する。
【００４３】
別の局面において本発明は、生理用品収納器の使用方法であって、
前記収納器の内部に回動しないように取り付けられたエンドレスカセットにアクセスするステップと、
前記エンドレスカセットの中央開口部から可塑性チューブを下方に引き出して包含体を形成するステップと、
前記包含体をその下端に封をして前記下端を閉じるステップと、 
を備え、又は含み、
これにより、除去可能な廃棄物包含体を前記収納器内に提供し、その後前記収納器を閉じるようにしてなる方法に概ね存するということができる。
【００４４】
好ましくは、前記方法は、前記既存の包含体の最上部を封じ前記既存の包含体とその中の廃棄物を完全に封じるステップを含む。
【００４５】
好ましくは、前記新しい包含体を封じるステップと前記既存の包含体を切り離すステップと前記既存の包含体を封じるステップが、前記切断部の両側に封をする封緘具・切断具一体型ユニットにより達成される。
【００４６】
別の局面において本発明は、生理用品収納器の使用方法であって、
前記収納器の、内部に取り付けられたエンドレスカセットにアクセスするステップと、
前記収納器の内部で既存の包含体を下方に引き出して、前記エンドレスカセットの中央開口部から補充される新しい包含体を形成するステップと、
前記新しい包含体の下端を封じ前記下端を閉じるステップと、
前記既存の包含体を前記新しい包含体から切り離すステップと
を備え、又は含み、
これにより前記既存の包含体及びその中の廃棄物を前記収納器から除去し、その後前記収納器を閉じるようにしてなる方法に概ね存するということができる。
【００４７】
好ましくは、前記方法は、前記既存の包含体の最上部を封じ前記既存の包含体とその中の廃棄物を完全に封じるステップを含む。
【００４８】
好ましくは、前記新しい包含体を封じるステップと前記既存の包含体を切り離すステップと前記既存の包含体を封じるステップが、前記切断部の両側に封緘材を施す封緘具・切断具一体型ユニットにより達成される。
【００４９】
別の局面において本発明は、廃棄物を収容し少なくとも一時的に貯留するように適合させた生理用品収納器であって、
内部空洞と、上部開口部と、前記内部空洞に通じる下部開口部を持つハウジングと、
前記ハウジングの実質的な上方に位置して蓋の役割をし、可動であって前記上部開口部を少なくとも部分的に開閉できる上位部と、
前記上位部の実質的な下方に位置し、前記内部空洞を更に規定する下位部であって、
少なくとも前記下位部の側壁にある第１開口部、又はその上部領域にある第２開口部を通じて前記内部空洞へのアクセスが可能となる、下げた位置から、
前記第１開口部と第２開口部が前記ハウジングに覆われる、上げた位置まで
前記ハウジングに対し可動であるような下位部と、
前記下位部内に実質的に位置し、内張りを着脱自在に受け止めて保持する支持枠であって、前記内部空洞に対して上から開いている支持枠と
を備え、又は含み、
下げた位置にあるときには、少なくとも前記内張りを下位部から除去、及び交換することができ、少なくとも上げた位置にあるときには、前記上部開口部が開いているときに廃棄物を前記内部空間の前記内張りの中に入れられるようにしてなる収納器に概ね存するということができる。
【００５０】
好ましくは、前記上部開口部は封緘材を有し、前記上位部を密閉して臭いを前記内部空洞に閉じ込める。
【００５１】
好ましくは、前記上位部は、前記上部開口部を完全に閉じるように動かすことができる。
【００５２】
好ましくは、前記内張りは可塑性素材の袋である。
【００５３】
好ましくは、前記下げた位置にあるときには、前記第１開口部又は第２開口部の片方又は両方から、前記内張りを除去し交換することができる。
【００５４】
好ましくは、前記下位部の前記上縁部が輪形部を規定する。
【００５５】
好ましくは、前記輪形部は前記下位部と一体である。
【００５６】
好ましくは、前記輪形部は前記下位部と一体である。
【００５７】
好ましくは、前記内張りの開口部の上縁部は前記支持枠の上を越えて内側から外側へ折り返される。
【００５８】
好ましくは、前記内張りの前記折り返された上縁部は前記支持枠と前記輪形部の間に挟み込んで保持される。
【００５９】
好ましくは、前記支持枠は連続した環状である。
【００６０】
好ましくは、前記支持枠は前記下位部に係合し選択的に保持される。
【００６１】
好ましくは、前記上位部は蓋として前記ハウジングに、摺動させ、又は、蝶番により、又は入れ子式に取り付けて前記上部開口部を開閉する。
【００６２】
好ましくは、前記上位部には、前記上位部を上下させて前記上部開口部を開閉するための把手がある。
【００６３】
もしくは、前記上部開口部は、前記上位部により自動で開閉する。
【００６４】
好ましくは、前記自動開閉は近接感知による。
【００６５】
好ましくは、前記下位部は、前記下げた位置から前記下げた位置に動かせるよう前記ハウジングに摺動係合させる。
【００６６】
好ましくは、前記摺動係合は、使用時に前記下位部を前記上げた位置で保持すること、及び前記下げた位置で前記下位部を取り外すことができるものとする。
【００６７】
好ましくは、前記保持と取り外しは前記ハウジングに対する前記下位部の反復可能な弾性を克服することにより達成される。
【００６８】
好ましくは、前記上位部には、利用者に対し前記近接感知の位置を表示する目印がある。
【００６９】
好ましくは、前記生理用品収納器は正面、側面、平面から見て実質的に直線形状である。
【００７０】
好ましくは、前記上位部は該ハウジングからの離脱を容易に防ぐ保持機構を含む。
【００７１】
好ましくは、前記閉じた位置にあるときに、該上位部と前記ハウジングが協働し、該上位部が該上部開口部よりも下方に動くことを防ぐ。
【００７２】
好ましくは、該ハウジングは更に、前記協働の一部として外側支持フランジを含む。
【００７３】
好ましくは、該上位部は更に、前記協働の一部として突起を含む。
【００７４】
好ましくは、前記収納器は壁掛け式又は床から自立式にすることができる。
【００７５】
好ましくは、前記内部空洞には、少なくとも１つ芳香剤を置く場所がある。
【００７６】
好ましくは、前記上位部は、前記開いた位置にあるときでも前記ハウジング内に位置する下部スカートを含む。
【００７７】
好ましくは、前記下部スカートには、前記開いた位置にあるときに前記内部に廃棄物を入れるための廃棄物投入口が貫通している。
【００７８】
好ましくは、前記下部スカートは前記ハウジングより内側に、前記支持枠よりは外側に位置する。
【００７９】
好ましくは、前記下位部は、少なくとも前記上げた位置にあるときには前記ハウジング内に位置する上部スカートを含む。
【００８０】
別の局面において本発明は、廃棄物を収容し少なくとも一時的に貯留するように適合させた生理用品収納器を提供する方法であって、
内部空洞と、上部開口部と、前記内部空洞に通じる下部開口部を持つハウジングを提供するステップと、
前記ハウジングの実質的な上方に位置して蓋の役割をし、可動であって前記開口部を少なくとも部分的に開閉できる上位部を提供するステップと、
前記上位部の実質的な下方に位置し、前記内部空洞を更に規定する下位部であって、
少なくとも前記下位部の側壁にある第１開口部、又はその上部領域にある第２開口部を通じて前記内部空洞へのアクセスが可能となる、下げた位置から、
前記第１開口部と第２開口部が前記ハウジングに覆われる、上げた位置まで
前記ハウジングに対し可動であるような下位部を提供するステップと、
前記下位部内に実質的に位置し、内張りを着脱自在に受け止めて保持する支持枠であって、前記内部空洞に対して上から開いている支持枠を提供するステップと
を備え、又は含み、
下げた位置にあるときには、少なくとも前記内張りを下位部から除去、及び交換することができ、少なくとも上げた位置にあるときには、前記上部開口部が開いているときに廃棄物を前記内部空間の前記内張りの中に入れられるようにしてなる方法に概ね存するということができる。
【００８１】
更に別の局面において本発明は、廃棄物を収容するように適合させた生理用品収納器の手入れをする方法であって、
前記生理用品収納器の下位部をハウジングから下げ、前記下位部が前記ハウジングに対して上げた位置にあるときには露出していない第１開口部は少なくとも露出させるステップと、
前記収納器が収納した廃棄物が入った内張りを少なくとも前記第１開口部を通じて除去するステップであって、前記内張りは少なくとも前記下位部と係合する支持枠の内縁を介して前記下位部の内部に保持されているステップと、
前記内張りを交換するステップと、
前記下位部を前記ハウジングの中へ持ち上げるステップと
を備え、又は含み、
少なくとも前記上位部が前記開いた位置にあるときには、新しい廃棄物が上部開口部を通じて前記収納器と前記内張りに入れられるようになり、前記上部開口部は上位部を介して選択的に開閉できるようにしてなる方法に概ね存するということができる。
【００８２】
更に別の局面において本発明は、生理用品収納器の部品のキットであって、
内部空洞と、上部開口部と、前記内部空洞に通じる下部開口部とを持つハウジングと、
前記ハウジングとともに組み立ててその上方に位置して蓋の役割を果たすことができ、可動であって前記上部開口部を少なくとも部分的に開閉できる上位部と、
前記上位部とともに組み立ててその実質的な下方に位置し、前記内部空洞を更に規定する下位部であって、組み立てられたときには、
少なくとも前記下位部の側壁にある第１開口部、又はその上部領域にある第２開口部を通じて前記内部空洞へのアクセスが可能となる、下げた位置から、
前記第１開口部と第２開口部が前記ハウジングに覆われる、上げた位置まで
前記ハウジングに対し可動であるような下位部と、
前記下位部とともに組み立てて実質的にその内部に位置し、内張りを着脱自在に受け止めて保持する支持枠であって、前記内部空洞に対して上から開いている支持枠と
を備え、又は含み、
前記生理用品収納器が組み立てられたときには、下げた位置にあるときには、少なくとも前記内張りを下位部から除去、及び交換することができ、少なくとも上げた位置にあるときには、前記上部開口部が開いているときに廃棄物を前記内部空間の前記内張りの中に入れられるようにしてなるキットに概ね存するということができる。
【００８３】
別の局面において本発明は、添付のいずれか１つ以上の図を参照してここに記載した生理用品収納器に概ね存するということができる。
【００８４】
別の局面において本発明は、ここに記載したように手入れがなされるときのここに記載した生理用品収納器の使用に概ね存するということができる。
【００８５】
別の局面において本発明は、ここに記載したように手入れがなされるときのここに記載した生理用品収納器の提供方法に概ね存するということができる。
【００８６】
別の局面において本発明は、ここに記載したように手入れがなされるときのここに記載した生理用品収納器の手入れの方法に概ね存するということができる。
【００８７】
別の局面において本発明は、ここに記載したように手入れがなされるときのここに記載した生理用品収納器のための部品のキットに概ね存するということができる。
【００８８】
ここで、「及び／又は」という語は、「及び」又は「又は」又はその両方を意味する。
【００８９】
ここで、名詞の後の（ｓ）はその名詞の複数形及び／又は単数形を意味する。
【００９０】
本明細書で使用される「備え（ｃｏｍｐｒｉｓｉｎｇ）」という語は「少なくとも部分的に〜からなる」を意味する。本明細書中のこの語を含む言明を解釈するにあたっては、それぞれの言明においてこの語の後に続く要素はすべてなくてはならないが、他の要素があっても構わない。「備える（ｃｏｍｐｒｉｓｅ）」「備えられた（ｃｏｍｐｒｉｓｅｄ）」等の関連語も同様に解釈される。
【００９１】
ここに開示される数字の範囲への言及（例えば１から１０）は、その範囲内の全ての有理数への言及（例えば１、１．１、２、３、３．９、４、５、６、６．５、７、８、９、１０）、及び、その範囲内のあらゆる有理数の範囲（例えば２から８、１．５から５．５、３．１から４．７）を含むことが意図されている。
【００９２】
上記又は下記に引用される全ての出願、特許、出版物の開示全体が参照によりここに組み入れられる。
【００９３】
本発明が関連する当業者にとっては、請求の範囲に定義された本発明の範囲から逸脱することなしに、構成上の多くの変更、及び本発明の実施形態と応用に関する広範な変更が自ずと思い浮かぶであろう。ここに含まれる開示と記述は純粋に説明のためであり、いかなる意味においても制限的であることを意図していない。
【００９４】
例示のみを目的とし、添付の図面を参照してなされる下記の説明から本発明の他の局面が明らかになるかもしれない。
【図面の簡単な説明】
【００９５】
これより添付の図面を参照しながら本発明の好ましい形態を説明する。
【００９６】
【図１】本発明の第１の実施形態の右上方からの等角投影図である。蓋はセンサーで作動し、蓋が下りている状態である。
【図２】第２の実施形態における図１と同様の図である。蓋は手動で、ここでも蓋は下りている。
【図３】本発明の後方斜視図である。背面の壁掛け部はついていない。
【図４】背面の壁掛け部がついている場合の図３と同様の図である。
【図５】本発明の側面図で、背面の壁掛け部がついている場合である。
【図６】中間平面に沿った垂直側断面を示す図である。本発明の内部が見えている。バッグはついていない。
【図７】ハウジングと上位部の斜視図で、下位部は除かれている。
【図８】上位部とハウジングの正面図で、ここでも下位部は除かれている。
【図９】図６と同様の断面図であり、バッグを加えている。
【図１０】図９と同様の断面図であり、下位部は除かれている。
【図１１】下位部、支持枠、バッグを示す前方斜視図である。
【図１２】図１２の分解図である。
【図１３】本発明の正面斜視図である。上位部（蓋）は除かれ、バッグの除去と交換のため内部空間にアクセスできるよう、下位部を下げている。
【図１４】図１３に関連して下位部とハウジングとの摺動係合・解除機構を示す図である。
【図１５】（Ａ）は、図１３に詳細Ａと記した下位部と支持枠を示し、（Ｂ）は（Ａ）の中間平面に沿った垂直側断面を示し、（Ｃ）は（Ｂ）と同じであるが遅い部分を除いた図である。
【図１６】上位部（蓋）の近接図である。（Ａ）は下げた状態を、（Ｂ）は下げた状態での断面を、（Ｃ）は上げた状態での断面を示す。
【図１７Ａ】本発明の別の実施形態を示す斜視図である。ハウジングの一部が開いて内部を露出しており、（Ａ）では包含体が可塑性チューブから形成されており、（Ｂ）では包含体をより硬い素材で形成して再利用可能な収納器としており、（Ｃ）は自立式で、前記ハウジングの一部が閉じた状態であり、（Ｄ）は収納器の背面と、蓋のための摺動軌道を示す。
【図１７Ｂ】同上
【図１７Ｃ】同上
【図１７Ｄ】同上
【図１８】エンドレスカセットの等角投影図である。
【図１９】ある長さの可塑性チューブを引き出したエンドレスカセットの等角投影図である。
【図２０】収納器の上部断面とエンドレスカセットの図１７ＡのＡＡ線の断面、及びエンドレスカセットの据付手順を示す。
【図２１−１】（Ａ）は、切断封緘具ユニットの等角投影図であり、（Ｂ）は等角投影分解図である。切断封緘具ユニットには、カッターの両側に封をする装置がある。（Ｃ）は最も好ましい形態における切断封緘具ユニットの左側面図であり、中が見えるようカバーは除いてあり、動作前の状態を示す。（Ｄ）は切断封緘具ユニットに端を絞った可塑性チューブが挿入され、第１の封と第２の封が施されるところを示す図である。（Ｅ）はテープカッターで封緘部分を切断するところを示す図である。（Ｆ）は封をされた可塑性チューブがバッグカッターで切断されるところを示す図である。
【図２１−２】同上
【図２２Ａ】（Ａ）は図１９のＢＢ線の等角投影断面であり、既存の包含体を引き下げて封をし、これを新しい包含体から切り離した後の状態を示す。新しい包含体はカセットから引き出され、既存の包含体が切断され封をされるときに、併せて封をされる。更に、カセットの断面が示されている。（Ｂ）は第２の封で封じられ、新しい包含体から切り離された満杯の包含体を示す。新しい包含体は第１の封で封じられている。（Ｃ）は、代替的な包含体として、再利用可能なより硬い収納器を示す。
【図２２Ｂ】同上
【図２２Ｃ】同上
【図２３】本発明の別の実施形態の正面右方からの等角投影図であり、押え棒がある。
【図２４】図２３と同様であるが、生理用品収納器内部と押え棒を見せるために正面カバーを除いている。
【図２５】生理用品収納器内部の接写、カセットを固定する押え棒の係合状態、及び押え棒のクリップ部を示す図である。
【図２６】生理用品収納器の前から後ろに延びる平面上の垂直断面図であり、カセットと収納器頂部の上部領域との係合及び押え棒による支持状態を示す。
【図２７】収納器の前から後ろに延びる平面上の垂直断面を示す図である。蓋が少し上がっていて蓋の摺動支持体が見える。
【図２８】図２７と同様の断面図であり、壁掛け部と、その収納器支持部分の接触状態を示す。
【図２９】蓋が少し開いた状態の収納器上部領域の上からの接写の等角投影図であり、内部空洞を密封する蓋と上位部の接触を接写で示す。
【発明を実施するための形態】
【００９７】
好ましい実施形態をこれより図１から図２１を参照しながら説明する。図１は本発明の第一の実施形態にかかる生理用品収納器１であり、生理用品収納器１を開閉するために自動開閉器２１を用いている。自動開閉器２１は近接センサー２０を備えている。利用者がどこに手を近づければよいかを示す目印２５を、上位部７の頂部又は他の場所に設けてもよい。図２に示すものは、同じ生理用品収納器１であるが、把手１９で開閉する点が異なっている。生理用品収納器は、例えばトイレの個室等の床に何らかのスタンドを用いて自立式としてもよいし、又は、壁掛け部３０を介して壁掛け式としてもよい。この好ましい実施形態においては、例えば図４に示すように、生理用品収納器１の背面に壁掛け部を設けている。
【００９８】
生理用品収納器１はハウジング３からなる。ハウジング３は、図１３に示すように上部開口部５を有し、また同じく図１３に示すように下部開口部６を有する。上部開口部５は蓋の役目をする上位部７を介して選択的に開閉可能である。上位部７は、図１から図１０においては閉じた位置で、図１６ｃでは持ち上げた位置で示されている。図１６ｃに示すように、上位部７は廃棄物投入口３１を有し、上位部７が開いた位置にあるとき、廃棄物を収納器の内部４に入れることができる。
【００９９】
先に述べたように、上部開口部５を開閉するための上位部７の上げ下げは、例えば自動開閉器２１を介して自動で行うことも、或いは利用者が上位部７を例えば把手１９を介して手動で行うこともできる。本発明の好ましい形態において、生理用品収納器１は、単に把手１９を取り除いて上位部７を動作させる自動開閉器２１を加えるだけで自動開閉システムから手動システムに変換でき、その逆も行える。
【０１００】
図８に示すように、ハウジング３は下部開口部６を有し、図１に示すように、下位部８は、上がった位置にあるときには、下部開口部６をふさぐ。下位部８は上部スカート２９を有し、上部スカート２９は、少なくとも上がった位置にあるときにはハウジング３の内部に納まり、輪形部１６を形づくる。例えば図１３に示すように、下位部８が下がった状態のときには下部開口部６が開く。この好ましい実施形態において、下位部８は図１４に示すように、摺動係合手段２２を介してハウジング３と摺動係合する。この好ましい実施形態において、これはハウジング３の内面に設けた突起３２から成り、突起３２が下位部８の軌道３３と係合する。下位部８がハウジング３と着脱自在となるように、突起３２が最下端の位置で軌道３３から抜けるようにする。逆に、下位部８をハウジング６に取り付けるときも、同様である。
【０１０１】
図９に示すように、上位部７、ハウジング３、下位部８（上がった位置にあるとき）は内部空洞４を形成する。臭いを閉じ込め、また、上位部７を閉める時の衝撃を和らげるために、図１０に示す封緘材１５を上位部とハウジングの間に設けてもよい。図９に示すように、上位部がハウジング３の中に落ち込まないように、上位部７とハウジング３の間にへり２７を設ける。図９に示すように、上位部７の下部スカート２８が、ハウジング３の内表面と容器１４の外表面の間に筒袖状に位置する。
【０１０２】
図３、図４、図５に示すように、下位部８が上がった位置にあるとき、それを上がった位置に保つために掛け金３５が用いられている。例えば保守担当者が掛け金をはずすことで、下位部８を例えば図１３に示すような位置に、又は、例えば図１３と図３の中間の位置に下げることができる。掛け金３５は、突起３２を設けた弾性台としてもよく、図６に示すように、突起３２は係止部２４に係合して、通常は下位部８がハウジング３から下がらないようにしている。しかし図６に示すように、掛け金３５と突起３２を、内在する付勢（例えば弾性変形、又はばね付勢）に逆らってＢ方向に押し曲げると突起３２が係止部２４から外れて下位部８を下げることができる。当該技術分野では留め金等の代替手段が知られているであろう。
【０１０３】
ハウジング３と上位部７と下位部８とが生理用品収納器の内部に内部空洞４を形づくる。下位部８は上縁部１７を有し、上縁部はこの好ましい実施形態において輪形部１６を形成する。図１１に示すように、輪形部又はその一部はさらに、下位部８の側壁１０に第一開口部９を形成する。輪形部又はその一部はさらに下位部８の頂部に向かって第二開口部１１を形成する。
【０１０４】
図１１から図１５に示すように、支持枠１３が上縁部１７の内側に、好ましくは適合する形状で納められている。図１２に示すように、係合手段１８により、支持枠が下位部８に係合するかしないかを選択できるようにしている。
【０１０５】
薄い内張り１４を下位部８の内部空間に配置する。この好ましい実施形態において容器１４は可塑性の袋等である。図１３（Ｃ）に示すように、容器１４の開口部３７の周縁３６は、支持枠１３の内側から上部を越えて外側に折り返される。図９に示すように、このやり方で、支持枠１３は容器１４とともに輪形部１６の内部に配置され、周縁部の折り返し部分が輪形部１６と支持枠１３の間に効果的に挟み込まれる。堅く挟み込まれることが好ましいが、この挟み込みにより容器１４は所定の位置に保持される。
【０１０６】
支持枠１３は、輪形部１６の上から、又は第一開口部９を介して下から上に取り付け（又は取り外し）が可能である。従って、下位部８を下げた位置にすれば容器１４を容易にかつ衛生的に収納器１から取り去ることができる。その後、新しい、又は洗浄した容器に取替え、上記のように支持枠１３で保持することができる。その後、下位部８を持ち上げてハウジングに納めることができる。
【０１０７】
好ましくは、容器は、支持枠１３により支持され所定の位置に納められるときに容器１４の底部３８が下位部８の下部の内面３９に届くような寸法とする。これにより、容器を保持することによる支持枠１３と輪形部１６に対する負荷が比較的小さくなる。
【０１０８】
廃棄物を収納器に挿入するために上位部７を持ち上げるときには、図１６（Ｃ）に示すように、下部スカート２８が上方に摺動して廃棄物投入口３１が現れる。そこで利用者は、廃棄物２を収納器に入れる。廃棄物は容器１４即ち内張りの内部に納まる。内張りが満杯になると、上記のようにして除去、洗浄、又は交換できる。下部スカート２８は上位部（好ましくは下部スカートと一体成型する）とともに上方に動くので、収納器１の内部表面のうち、実質的に利用者の前に現れるのは、下部スカート２８の内面３９と内張り１４自体のみである。このため、収納器１の内部の大半は清潔に保たれる。廃棄物投入口３１は、収納器内部の廃棄物が利用者の目に触れないような寸法とする。収容器を十分に深く、廃棄物投入口の高さを十分に低くして、利用者が収納器内部の下方を目にすることがないようにする。定期的に手入れをし廃棄物を除去することがこれに役立ち、あふれるのを防ぐ。上位部７が下げられると、廃棄物投入口３１がハウジングにより閉じられ、内部空間に封がされて内部の臭いを閉じ込める。
【０１０９】
収納器１内部には防臭対策として、例えば上位部７の裏側に、芳香剤４０を含ませてもよい。
【０１１０】
収納器１は単体の組み立て済み製品として販売しても、又は収容器１の組み立てキットとして販売してもよい。
【０１１１】
本発明の別の実施形態を図１７から図２６に示す。この実施形態において、先の実施形態と同じ要素は同じ番号で示す。
【０１１２】
図１７から図２６に示すように、収納器１は直線構成の形状であるが、側面、頂部、底部の面には内側、外側とも丸みをもたせ、実質的に平滑な連続表面として、掃除しづらい角は減らし、又は完全になくして、例えば、包含体領域から廃棄物があふれ出たり漏れ出たりした場合の衛生管理と掃除をしやすくした。図２６は、廃棄物が漏れたりこぼれたりした場合でも外に出ないように、ハウジング３にひしゃくないしバケツ状の最下位部７４を設けていることを示す。
【０１１３】
図１７Ａに示すように、ハウジング３は、主ハウジング３Ａ閉鎖部４１及び上部７５からなる。ハウジング３には、図１７Ａで周縁環状に示されている取付突起７６がある。この好ましい実施形態において、製造時に上部とハウジングは個別に製造され、据付前、例えば、製造施設から出荷される前に、ハウジングに取り付けられる。好ましい形態において、上部７６は既に知られた方法でハウジング３に係止される。同じく好ましい形態において、該上部が取付突起７６を形成する。
【０１１４】
図１７Ａに示すように、本実施形態において、収納器１は上部７５に、蓋７で開閉できる上部開口部５を設けたハウジング３を有する。この好ましい形態において、図２７から図２９に示すように、蓋７は、上部７５の賞賛的な部分で受けられるようになっている。蓋７と上部７５の下位接触面７７と上位接触面７８の詳細を図２９に示す。開口部を閉じることに加え、接触面７７及び７８が密着することで、少なくとも蓋と上部の間に良い密封性を保ち、臭い漏れ等を防止ないし軽減する。ここに示す好ましい形態において該接触面は円錐台形である。下位接触面は包含体領域に向けて下方に角度がつけられている。この下方の角度付けは、廃棄物が包含体領域に向かうようにし、廃棄物が引っ掛かったりぶら下がったりする表面を少なくし又はなくすことを確保することにも役立つ。接触面７７及び７８の円錐台形は、蓋７が閉じる際に毎回同じ位置に戻ることを確保することにも役立ち、これも廃棄物や臭いの防止、軽減に役立つ。
【０１１５】
ここでも収納器１は壁等に着脱自在に取り付けることもできるし、図１７Ｃに示すように、フロアスタンド６０を用いて自立式とすることもできる。据付、手入れ、清掃、交換を容易にするために、収納器１は壁掛けブラケット３０又はフロアスタンド６０に着脱自在に結合することができる。この好ましい形態においては、図２４に示すように、ハウジング内部から操作可能な開放自在留め金７９を設けている。ここに示す好ましい形態において、開放自在留め金７９は、壁掛けブラケット３０又はフロアスタンド６０に設けられ、図２４では、係留位置にある。取り外しの際の開放自在留め金の位置は、１８０度回転した位置であり、留め金開口部８０の形状と合うようになる。このシステムを反対にして、開放自在留め金７９又は類似物をハウジング側に設けて、壁掛けブラケット又はフロアスタンドと係合するようにしてもよい。図２８に示すように、開放自在留め金７９に加え、壁掛け部３０の上位伸長部８１は取付突起７６に、好ましくは収納器の背部で、下から係合する。そのため収納器は必要に応じ壁掛けブラケットやフロアスタンドから容易に着脱できる。
【０１１６】
利用者が図２に示すような把手１９を用いて持ち上げる手動式の蓋７に加え、蓋を自動で開く上述の自動開閉器２１を用いてもよい。これは収納器１と壁掛けブラケット３１又はフロアスタンド６０の間の薄型のバックパック型として同様の方法で操作してもよい。
【０１１７】
図１７Ｄに示すように、本実施形態において、蓋７は、ハウジングの背面外側の摺動軌道６９と摺動係合する。これは、前の実施形態において、内側に設けたのと同様のものを外側で用いるものである。壁掛けブラケット３０はこの摺動軌道６９の外側に位置し、軌道を保護するとともに、壁等への擦過を防ぐ。
【０１１８】
この好ましい実施形態において、ハウジング３は、ハウジング３の底部又はその近傍に設けた回転軸位置５０で、二枚貝の殻のように開く閉鎖部４１を有する。閉鎖部４１は、この好ましい形態において、交換、清掃、手入れ等のため取り外せるように、ハウジング３側部との開放自在係合部５５を備える。その結果、ハウジング３内部にアクセスすることもできるし、閉鎖部４１で閉じてしまうこともできる。図１７Ａ及び図１７Ｂにおいて、閉鎖部４１は開いておりハウジング３内部にアクセスできる状態である。蓋７は上部開口部５１をふさいでいる。包含体４５が内部に見えており、図１７Ａにおいてこれは後述するカセット４２から延びる、ある長さの可塑性チューブである。
【０１１９】
１つの実施形態に現われる封緘具ユニット４６も見えている。図１７Ｂは、図２２Ｃに示す、より硬質の収納器を包含体４５として用いる別の実施形態を示す。この、より硬質の包含体４５は、可塑性材料、紙、カード等の素材から作ってよい（素材は、防水加工等、耐久性を増すための処理を施し、またリサイクル可能にしてもよい）。硬質の包含体４５は、後述するカセット４２と同様の方法でハウジングと係合させてもよい。また、取り外しと据付を容易にするため把持部６８が設けられる。
【０１２０】
封緘具ユニットを用いない実施形態においては、例えば、輪ゴムを使ったり結び目を作ったりして、利用者が手で可塑性チューブの底部を封じることにより包含体４５を形成することができる。
【０１２１】
この更なる実施形態においては、図１８から図２０に示すように、生理用品収納器１のハウジング３内部にエンドレスカセット４２が設けられる。カセット４２は中央開口部４４を有し、頂部に内部からの出口５２を有する。この好ましい実施形態において、図１８及び図２０に示すように、カセット４２は、内筒部５３及び内筒部に係止される外カバー５４からなる。図２２Ａに示すように、ある長さの折り畳んだ可塑性チューブ４３が内部５６に配置される。チューブは出口５２でカセット４２から外に出すことができる。この好ましい実施形態において、出口５２はカセット４２の最頂部に位置し中央開口部４４に直近で隣接している。これにより図２０の右端に示すように、廃棄物を収納器に入れる際にカセット自体の表面露出部分を最小に抑えることができる。カセット４２、及びそれに伴って可塑性チューブが上部開口部全体をふさぐので、蓋７を持ち上げたときに、汚れる部分の露出が最小限になる。汚れる可能性のある面の大部分は可塑性チューブ４３に覆われており、そのため、後述するように、廃棄物を取り除くたびに取り替えられる。これをさらに図２９で示す。この好ましい形態において中央開口部４４は、廃棄物投入口３１よりも、寸法が大きく、また周縁が実質的により外寄りにある。従って、廃棄物投入口３１から入れられる廃棄物２が可塑性チューブ以外のものに接触する可能性はほとんどなく、傾斜した壁又は鉛直な壁に接触するはずである。
【０１２２】
図１９に示すように、可塑性チューブは中央開口部の下方に向けて引き出され、図示するように、例えば末端を絞って適当な封４７で封じることにより、底部で閉じられ、包含体４５を形成する。
【０１２３】
エンドレスカセット４２はハウジング３に着脱自在に係合する。１つの好ましい形態における、突出部５８及び５９を用いる係合手順を図２０の左から右に示す。取り外し手順は逆に右から左になる。このとき、例えば、カセット内部の可塑性チューブを使い切ったとき、又は、少なくとも包含体領域を形成するには足りなくなったときに、カセットが容易に交換できるようにしている。この好ましい形態においては、係合は、ハウジング３とエンドレスカセット４２が相対してたわむことを利用して開放できるものとなっている。据付手順（逆に見れば取り外し手順）を示す図２０に示す１つの好ましい形態において、この例においてはハウジング３内部の賞賛的な凹部６１と係合する、少なくとも１つの第１の突出部５８と少なくとも１つの第２の突出部５９により係合可能な開放が達成される。代替的な形態において、突出部をハウジング側に設け、エンドレスカセット４２の凹部と係合させてもよい。この好ましい形態においては、第１突出部５８を１つ、第２突出部５９を１つ設け、又は逆にする。ハウジングとカセットの弾力性がカセットの着脱に十分なたわみを可能にする。カセットをハウジングに保持する他の形態は当業者には知られるであろう。
【０１２４】
本発明の好ましい形態において、ハウジングは、図２４及び２７に示す、下位凹部８３を有する。前記廃棄物が漏れたりこぼれたりした場合に、それが液体であっても固体であっても受け止められるように、下位凹部には孔が一切ない。内部は曲面にして廃棄物が溜まるくぼみをなくし、例えば拭き取ったり洗ったりして容易に掃除できる。
【０１２５】
図２１（Ａ）と図２１（Ｂ）に示す封緘具ユニット４６を、図１７に示すように、収容器１の底部又はその近辺に設ける。この好ましい形態において、閉鎖部４１を開くと、封緘具ユニット４６は使いやすいように外側に出てくる。この好ましい形態において、それは回転軸５０の軸上又は近くに軸支され、閉鎖部と摩擦係合しており、閉鎖部４１を開くと外側に出てくる。
【０１２６】
封緘具ユニットは、図２１Ｂのカバー６３を外した状態で図２２Ａに示すように、可塑性チューブの端を絞った部分に封４７を施す。端を絞ったチューブ６２を封緘具ユニット４６の喉部５７に置いて、喉部５７の中に押し込む。これにより、端を絞ったチューブ６２に、ロール６４の片面粘着テープ６５の備蓄からテープ封４７が施される。封緘具ユニット４６の働きにより、テープ６５の内側に付加された接着剤が、テープと端を絞ったチューブ６２を接着する。少なくとも１つのテープカッター６６が図示されている。該テープカッターは、端を絞ったチューブの喉部５７への押し込みにより作動し、回転軸６７を中心に前方に旋回し、テープ６５を残りのロール６４から切り離す。この好ましい形態においてテープカッター６６の刃先は効果的、清潔、迅速に切ることができるような角度に調整される。
【０１２７】
封緘具ユニット４６の好ましい形態において、封をする装置の、絞ったチューブ６２の下流側にチューブカッター４８を設ける。このカッターは第１の封から所定の長さを超えて伸張する可塑性チューブを切断する。最も好ましい形態においては、該カッターの下流に第２の封を施す更なる封緘装置を設ける。その効果としては、ある長さの可塑性チューブの端を絞って封緘具ユニット４６にあて喉部から中に押し込むと、封緘具ユニットが相互に短い距離をおいて２つの封をし、カッター４８で、２つの封の間で可塑性チューブを切断する。この好ましい形態において、２つのロール６４を隣り合わせに配置してもよく（それぞれが、それぞれのテープカッター６６で切断される）、或いは、最も好ましい形態においては、両方の封をするのに十分な幅のロール６５を１つだけ設け、それを上記のようにテープカッター６６で切断し、テープ６５で封じた部分をチューブカッター４８が２つに切断し、図２２Ｂに示すように第１の封４７と第２の封４９を形成する。図２２Ｂに示すのは、内部の廃棄物が封じられ扱いも処理も容易になった、満杯の包含体４５Ａと、次の廃棄物を入れる用意が整った包含体４５Ｂである。
【０１２８】
この好ましい形態において、封緘具ユニット４６を備えた収納器１の操作は以下のとおりである。カセット４２から、ある長さの可塑性チューブ４３が引き出され、封緘具ユニット４６が上述のごとく作動して、下端に封４７を施し、廃棄物用の包含体４５を形成する。これで収納器１に上述の方法で廃棄物を入れるため使用できるようになる。定期的なスケジュールの一環か、又は、収納器が満杯または満杯に近いと報告があったかで、収納器の手入れが必要になったときには、閉鎖部４１を開けて内部を露出させる。使用済み包含体４５を下方に引き出すと、可塑性チューブの新しい包含体がエンドレスカセット４２から出てくる。可塑性チューブを十分な包含体の長さが得られるまで引き出す。通常、これは、新しい包含体の下部が収容器１の底部又は底部近くに達するまでである。次に、新しい包含体の下部の可塑性チューブ（これは取り除かれるべき廃棄物を含んだ使用済み包含体の上部でもある）の端を絞って封緘具ユニット４６に当てる。この好ましい形態においては、封緘具ユニットは１つの動作で、使用済み包含体を封じカッター４８で新しい包含体から切り離す。封緘具ユニットは、この動作の最初の部分で使用済み包含体の頂部に封をして、中の廃棄物を効果的に密封する。密封された使用済み包含体は、除去され処理される。同時に、封緘具ユニットは新しい包含体下部に第１の封をしてこれを密封する。次いで収納器の閉鎖部４１を閉じれば、また使用する用意が整う。
【０１２９】
本発明の別の実施形態において、図２３から図２６に、生理用品収納器１内部にカセット４２を保持する代替的な方法と装置を示す。カセット４２の下面を支える支持部７１を介して、押え棒７０がカセット４２を下方から支持する。カセット４２の上部（図２６に断面を示す）は生理用品収納器１の上部領域内部と賞賛的に組み合わせられる。ここに示す好ましい形態においてカセット４２上部の周囲は生理用品収納器の対応する部分と係合するように内向きにテーパーさせる。これにより、カセット上部と生理用品収納器の係合によりカセットが外向き又は上方に動くことを妨げ、押え棒７０の支持部７１がカセットの下方への動きを妨げるので、カセットは固定される
【０１３０】
カセット４２を取り外すには、支持部７１の領域で生理用品収納器内壁後方（図２６のＡの方向に）に向かって押え棒を押すと、カセット４２の下部が開放され、カセットを下げて取り外すことができる。カセットの据付は逆の手順になる。
【０１３１】
１つの好ましい実施形態において、生理用品収納器のカバーに設ける賞賛的な開口部７３と係合するクリップ部７２を含むように押え棒も一体成型する。これは、先に示した実施形態と似ているが、先の実施形態では、クリップ同等物がカバーの側から生理用品収納器本体に係合し、係り方が逆になっている。
【０１３２】
本発明の他の形態においては、カッター４８を設けずに、可塑性チューブにミシン目８２を入れておいて必要な間隔でちぎり取ることができるようにする。例えば、ミシン目の間隔を収納器内部の高さより少し大きくしてもよい。このようにすれば、底部を封じたときに上のミシン目はまだカセット内部にある。これにより、通常使用時の次のミシン目がまだカセット４２に隠れているうちに包含体を封じ、次の包含体の底部を封じることになるので、この部分を引きちぎる際の安全で清潔な扱いが可能になる。チューブ８４がカセット２２から更に下方に引き出された状態のミシン目８２を図２２（Ａ）に示す。
【０１３３】
本発明の上述の記載はその好ましい形態を含む。本発明の範囲から逸脱することなく、これに修正を加えることが可能である。
【図１】
2016520497.tif 000003
【図２】
2016520497.tif 000004
【図３】
2016520497.tif 000005
【図４】
2016520497.tif 000006
【図５】
2016520497.tif 000007
【図６】
2016520497.tif 000008
【図７】
2016520497.tif 000009
【図８】
2016520497.tif 000010
【図９】
2016520497.tif 000011
【図１０】
2016520497.tif 000012
【図１１】
2016520497.tif 000013
【図１２】
2016520497.tif 000014
【図１３】
2016520497.tif 000015
【図１４】
2016520497.tif 000016
【図１５（Ａ）】
2016520497.tif 000017
【図１５（Ｂ）】
2016520497.tif 000018
【図１５（Ｃ）】
2016520497.tif 000019
【図１６（Ａ）】
2016520497.tif 000020
【図１６（Ｂ）】
2016520497.tif 000021
【図１６（Ｃ）】
2016520497.tif 000022
【図１７Ａ】
2016520497.tif 000023
【図１７Ｂ】
2016520497.tif 000024
【図１７Ｃ】
2016520497.tif 000025
【図１７Ｄ】
2016520497.tif 000026
【図１８】
2016520497.tif 000027
【図１９】
2016520497.tif 000028
【図２０】
2016520497.tif 000029
【図２１−１】
2016520497.tif 000030
【図２２Ａ】
2016520497.tif 000031
【図２２Ｂ】
2016520497.tif 000032
【図２２Ｃ】
2016520497.tif 000033
【図２３】
2016520497.tif 000034
【図２４】
2016520497.tif 000035
【図２５】
2016520497.tif 000036
【図２６】
2016520497.tif 000037
【図２７】
2016520497.tif 000038
【図２８】
2016520497.tif 000039
【図２９】
2016520497.tif 000040
【図２１−２】
2016520497.tif 000041
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
廃棄物を収容し少なくとも一時的に貯留する生理用品収納器であって、
内部空洞と上部開口部を持つハウジングであって、前記ハウジングの一部は開けることができ、これにより前記内部空洞を少なくとも部分的に露出させることができるハウジングと、
前記ハウジングの実質的な上方に位置して蓋の役割をし、可動であって前記上部開口部を少なくとも部分的に開閉できる上位部と、
前記ハウジングの前記内部空洞内で前記上部開口部又はその近傍に、内部に、回動しないように取り付けられたエンドレスカセットであって、ある長さの折り畳んだ可塑性チューブを保持し、前記チューブが前記カセットの頂部又はその近傍で外に出て、前記カセットの中央開口部を通って前記ハウジングの底部に向かい、上向きに開口した包含体を前記内部空洞内に形成するようなカセットと
を備え、又はこれらを含み、
前記包含体は、前記蓋が開いたとき前記上部開口部を通じ前記廃棄物を収納することができ、
前記包含体、及び、取り外し、据付のためカセットについても、前記一部が開いたときにアクセスが可能であり、前記包含体を下方に引き出し、前記カセットから補充される新しい包含体を形成することが可能であり、前記包含体および前記新しい包含体は密封することができ、前記包含体は除去できるようにしてなる生理用品収納器。
【請求項２】
前記エンドレスカセットは前記上部開口部の周縁より実質的に外側に位置する請求項１に記載の収納器。
【請求項３】
前記底部又はその近傍に配置され、前記包含体を密封するために、及び／または前記新しい包含体の下部を封じるために、前記可塑性チューブに少なくとも１つの封をする封緘具ユニットを、前記ハウジングが少なくとも部分的に含む請求項１または２に記載の収納器。
【請求項４】
前記封緘具ユニットがさらに前記可塑性チューブを切断するカッターを有し、前記カッターは１つの前記封の下流で切断を行うことにより、前記包含体を前記新しい包含体から切り離すことができる請求項３に記載の収納器。
【請求項５】
前記封緘具ユニットは前記カッターの下流で第２の前記封をすることができ、前記カッターが前記新しい包含体を密封し、また、前記包含体を除去するために切断、密封する請求項４に記載の収納器。
【請求項６】
前記一部が開いたときに、前記封緘具ユニットも前記ハウジング内部から外向きに動く請求項３から５のいずれかに記載の収納器。
【請求項７】
前記一部は前記底部辺りに設けた回転軸位置を中心に蝶番で外向きに動く前記請求項１から６のいずれかに記載の収納器。
【請求項８】
前記カセットの上部が、上方に行くにつれて前記中央開口部に向かって内向きに傾斜する面をなす請求項１から７のいずれかに記載の収納器。
【請求項９】
前記折り畳んだ可塑性チューブの前記出口が前期中央開口部の直近に配置されている請求項１から８のいずれかに記載の収納器。
【請求項１０】
前記エンドレスカセットが内筒部から形成され、前記内筒部の周りに前記可塑性チューブが配置されており、前期内筒部の周囲を覆うように外カバーが配置され、前記可塑性チューブの前記出口が、前記頂部またはその近傍において前記内筒部と前記外カバーの間に規定される、請求項１から９のいずれかに記載の収納器。
【請求項１１】
前記エンドレスカセットが前記ハウジングの内面と実質的に賞賛的である請求項１から１０のいずれかに記載の収納器。
【請求項１２】
前記蓋が前記ハウジングの後部外面と、又は後部外面上で、摺動係合する請求項１から１１のいずれかに記載の収納器。
【請求項１３】
前記一部が少なくとも１つの開放自在係合部により前記ハウジングに保持される請求項１から１２のいずれかに記載の収納器。
【請求項１４】
前記少なくとも１つの開放自在係合部は前記一部の側面上方にある請求項１３に記載の収納器。
【請求項１５】
前記蓋には前記上部開口部を開閉するために前記蓋を上下させるための把手がある請求項１から１４のいずれかに記載の収納器。
【請求項１６】
前記上部開口部が前記蓋により自動で開閉される請求項１から１４のいずれかに記載の収納器。
【請求項１７】
前記自動開閉が近接感知を介して作動する請求項１６に記載の収納器。
【請求項１８】
前記蓋又は近接領域に視覚表示、例えば、利用者に対し前記近接感知の位置を表示する目印のある請求項１７に記載の収納器。
【請求項１９】
前記生理用品収納器が頂部、底部を除いて、正面、側面から見て実質的に直線形状であり、これにより実質的に平滑な連続表面を提供して衛生管理と掃除をしやすくした請求項１から１８のいずれかに記載の収納器。
【請求項２０】
前記ハウジングの最下位部が、その内部から見たときに実質的に凹型で、前記凹部が前記廃棄物からの漏れやこぼれを受け止めるようにした請求項１から１９のいずれかに記載の収納器。
【請求項２１】
前記蓋に、ハウジングからの完全な離脱を容易に防ぐ保持機構を含む請求項１から２０のいずれかに記載の収納器。
【請求項２２】
前記収納器が着脱自在に壁掛け式又は床から自立式の請求項１から２１のいずれかに記載の収納器。
【請求項２３】
前記エンドレスカセットが前記ハウジングとの開放自在係合部を備えた請求項１から２２のいずれかに記載の収納器。
【請求項２４】
前記開放自在係合部が弾性のものである請求項２３に記載の収納器。
【請求項２５】
前記弾性開放自在係合部は前記カセットの前面上の少なくとも１つの第１突出部であって前記ハウジング内面上の賞賛的な部分と係合し、また少なくとも１つの第２突出部であって前記ハウジングのもう１つの内面上に係合する請求項２３または２４に記載の収納器。
【請求項２６】
前記少なくとも１つの第１突出部が前記少なくとも１つの第２突出部と異なる高さにあって、これによりまず前記少なくとも１つの第１突出部又は前記少なくとも１つの第２突出部を係合し、次に、それぞれ、前記少なくとも１つの第２突出部又は前記少なくとも１つの第１突出部を係合させることによって前記エンドレスカセットが所定の位置に配置される請求項２５に記載の収納器。
【請求項２７】
前記カセットは、少なくともその上部を前記生理用品収納器の内部と賞賛的とすることにより、前記カセットが上方や外向きに動かないようにして所定の位置に保ち、押え棒が前記カセットを下方から着脱自由に支持する請求項１から２３のいずれかに記載の収納器。
【請求項２８】
前記蓋で閉じられる上部開口部が内向きに傾斜する円錐台形の接触面を有し、前記蓋は賞賛的な接触面を有し、これにより前記上部開口部が実質的に密封される請求項１から２７のいずれかに記載の収納器。
【請求項２９】
前記収納器は背面を介して壁掛け式又は床から自立式とすることができる請求項１から２８のいずれかに記載の収納器。
【請求項３０】
前記蓋を自動で開閉するため自動開閉器を前記収納器の背面に取り付けることができる請求項１６に記載の収納器。
【請求項３１】
生理用品収納器のためのカセットであって、
前記生理用品収納器は、内部空洞と上部開口部を伴うハウジングを備え、前記ハウジングの一部を開いて前記内部空洞を少なくとも部分的に露出させることができ、前記カセットは
ａ  ある長さの可塑性チューブを折り畳んだ状態で周囲に配置できる中央筒部であって、その中を貫通する中央開口部を備えた中央筒部と、
ｂ  前記中央筒部と前記折り畳んだ可塑性チューブの周囲に位置する外カバーと
ｃ  前記中央開口部の最上部辺縁にあり前記中央開口部に直に隣接するエンドレス出口開口部を別として、前記折り畳んだ可塑性チューブを囲い込んでいる前記中央筒部と前記外カバーであって、前記折り畳んだ可塑性チューブは、前記エンドレス出口開口部で前記カセットから離れ、折り畳んでいない状態で前記カセットの前記中央開口部を通って前記ハウジングの底部に向かい、上向きに開口した包含体を前記内部空洞内に形成するような前記中央筒部と前記外カバーと
を備え、又は含み、
前記カセットは、前記生理用品収納器の前記内部空洞内に、内部に、回動しないように取り付けることができ、前記一部を開けるとアクセスすることができ、前記収納器の上部開口部の実質的に外側に位置し前記内部空洞内に上向きに開口した包含体を形成するようにしてなるカセット。
【請求項３２】
可塑性チューブの備蓄から供給される生理用品収納器用可塑性チューブを密封する切断封緘具ユニットであって、
前記可塑性チューブに第１のテープ封を施す第１の封緘機構と、
前記第１のテープ封の後ろに延びる前記可塑性チューブを切断するように適合させた切断機構と
を備え、又は含み、
前記第１のテープ封が前記可塑性チューブに施されるときに、前記生理用品収納器のための新しい包含体が形成されるようにしてなる切断封緘具ユニット。
【請求項３３】
生理用品収納器の使用方法であって、前記生理用品収納器は、内部空洞と上部開口部を伴うハウジングを備え、前記ハウジングの一部を開いて前記内部空洞を少なくとも部分的に露出させることができ、
ａ  前記一部が開いたときに前記収納器の前記内部空洞内に内部で回動しないように取り付けられたエンドレスカセットにアクセスするステップと、
ｂ  前記収納器の内部空洞の実質的内部で既存の包含体を引き下げることにより、前記エンドレスカセットの中央開口部から補充される前記エンドレスカセットの中央開口部から補充される新しい包含体を形成するステップと、
ｃ  前記新しい包含体をその下端で封じて前記下端を閉じるステップと、
ｄ  前記既存の包含体を前記新しい包含体から切り離すステップと
を備え、又は含み、
これにより前記既存の包含体及びその中の廃棄物を前記収納器から除去し、その後前記収納器を閉じるようにしてなる方法。
【請求項３４】
前記既存の包含体の最上部を封じ前記既存の包含体とその中の廃棄物を完全に密封するステップを含む請求項３３に記載の方法。
【請求項３５】
前記新しい包含体を封じるステップと前記既存の包含体を切り離すステップと前記既存の包含体を封じるステップが、前記切断部の両側を封じる封緘具・切断具一体型ユニットにより達成される請求項３３又は３４に記載の方法。
【請求項３６】
添付のいずれか１つ以上の図の参照によりここに記載した生理用品収納器。
【請求項３７】
ここに記載したような手入れがなされるときのここに記載した生理用品収納器の使用。
【請求項３８】
ここに記載したような手入れがなされるときのここに記載した生理用品収納器の提供方法。
【請求項３９】
ここに記載したような手入れがなされるときのここに記載した生理用品収納器の手入れの方法。
【請求項４０】
ここに記載したような手入れがなされるときのここに記載した生理用品収納器のための部品のキット。
【国際調査報告】
2016520497.tif 000042
2016520497.tif 000043
2016520497.tif 000044
2016520497.tif 000045
2016520497.tif 000046
2016520497.tif 000047